(57)【要約】【課題】ブーツにおいて単純な操作性及び良い気楽さ、特に良いかかと保持性とともに、足の良い保持性が保証される方式で、ひもの付いたブーツを改善することである。【解決手段】ひもの付いたブーツは、ブーツひも１１を備え、ブーツひもの各部分は、連続的なワンピースの方式でつながる。上記各部分において、第１の部分１１ｆ、１１ｇは、足底１の中足骨の領域３からブーツの甲の領域につながり、 第２の部分１１ｅ、１１ｈは、足底１の中足骨の領域３からブーツのかかと領域上の上部６の外側の周りにつながり、第３の部分１１ｄ、１１ｉは、上部の同じ位置から足の甲に及び足の甲から上部のこの位置につながる。これらの３つの部分は、ブーツの側面から見ると、足の足関節Ｆ２、Ｆ４をカバーする三角形を形成する。【選択図】図１
2004275771.tif 000002
【特許請求の範囲】
【請求項１】
前方の足領域、中足骨領域及びかかと領域を含み、足指領域、足の甲領域及びかかと領域を含む底、前記底に連結されるブーツの甲、脛骨領域によって前記ブーツの甲に連結される上部、及びガイド上において分離される少なくとも１つのブーツひもを備えるブーツのひもであって、
前記底の中足骨の領域からブーツの甲の領域につながる第１の部分と、
前記底の中足骨の領域からかかと領域上の上部の外側の周りにつながる第２の部分と、
前記かかと領域及び足の上側の足関節上の前記上部から前記ブーツの甲につながる第３の部分とを少なくとも備え、
前記３つの部分は、側面から見るとき、その内部に足の足関節を位置させる三角形を形成し、
前記ブーツひもは、３つの部分が連続されるワンピースになるように設計されることを特徴とするブーツひも。
【請求項２】
前記第１及び第２の部分は、底の両側上の屈折の周りに案内されることを特徴とする請求項１に記載のブーツひも。
【請求項３】
前記第１及び第２の部分は、前記底を通じて横断してつながる穴を通じて案内されることを特徴とする請求項１に記載のブーツひも。
【請求項４】
前記穴は、前記底の内部において相互間に交差することを特徴とする請求項３に記載のブーツひも。
【請求項５】
ケースが、前記穴内に配置され、前記穴を通じてブーツひものケース対応部分が案内されることを特徴とする請求項３に記載のブーツひも。
【請求項６】
前記ブーツひもの少なくともの２、３個の部分は、柔軟に弾力的なケース内に案内されることを特徴とする請求項１に記載のブーツひも。
【請求項７】
前記柔軟に弾力的なケースは、巻かれた渦巻ばねによって形成されることを特徴とする請求項６に記載のブーツひも。
【請求項８】
巻き装置において、ブーツひもの両端が巻かれ得ることを特徴とする請求項１に記載のブーツひも。
【請求項９】
前記第３の部分は、前記上部の上に案内され、前記第１、第２又は第３の部分のうち１つにワンピースの方式で連結される少なくとも１つの第４の部分につながることを特徴とする請求項１に記載のブーツひも。
【請求項１０】
前記ブーツの甲の上に前記足指領域まで案内され、前記第１、第２又は第３の部分のうち１つにワンピースの方式で連結される少なくとも１つの第５の部分が提供されることを特徴とする請求項１に記載のブーツひも。
【発明の詳細な説明】
【技術分野】
【０００１】
本発明は、請求項１の前段によるひもの付いたブーツに関する。
【背景技術】
【０００２】
このようなひもの付いたブーツは、特許文献１、特許文献２及び特許文献３から公知されている。
【０００３】
スノーボードブーツ、インライン・スケート・ブーツ、ハイキング・ブーツ、登山靴等のブーツは、例えば、ブーツの２つの対向するタブ上の小穴のようないくつかの屈折要素に通されるブーツひもによって締められ、ブーツひもの端は、ひもで締めること、又は保持及び／又はクランプ装置によって固定される。
【０００４】
大部分のひもの付いたブーツ及び特にスノーボードブーツは、可撓性材料からなる。該可撓性材料により、気楽さが提供され、更に、特にスノーボードをする場合に好ましいユーザの足の可動性が比較的大きく許容される。他方では、足、ブーツ及びスノーボードとの結合は、ライダーが必要な力をスノーボードに、特にその先端及び後端に移動させ得るほど、堅くなければならない。これを達成するためには、ブーツの縦方向に対して前方及び後方への移動のためにブーツの上部を比較的固くするのが実際に必要であるが、これは、特に歩くときに気楽さを制限する。
【０００５】
ブーツの良い固定性、及びスノーボードをする際に先端への力の良い移動性のための他の必要な条件は、ブーツにおける足のかかとの良い保持性である。換言すれば、特に、ライダーがスノーボードの前端に力を移動させるために彼の足関節を前方に曲げるときに、足のかかと領域はまた、ブーツの底の内側に置かれなければならない。
【０００６】
特許文献４は、このために、ブーツの足の甲領域からかかと領域までつながり、よってかかとを下方及び後方に押圧するひもで締める作業に対して縦方向への拡張性の低い引き締め革ひもが提供されることを提案する。加えて、足の前方領域からブーツの上部の周りにつながり、よって後方に曲がることから可撓性の上部を支える別の引き締め革ひもが提供される。
【０００７】
類似した引き締め革ひもは、また、特許文献５、特許文献６、特許文献７、特許文献８、特許文献９、特許文献１０、及び特許文献１１から公知されている。
【０００８】
特許文献１２は、従来のひもで締めることに加えて、足の中足骨領域におけるブーツ底からブーツの上部の周りの両側につながる円周のケーブルを含むひもの付いたブーツを開示する。このケーブルは、ケーブルで引き締められ得る足の甲の領域においてループを形成する。
【０００９】
しかし、このような追加的な引き締め革ひもは、より大きい産業費用を必要とし、実際面では、良い保持性を有するために、足の循環が悪影響を受けるほど、ユーザが強く締める欠点を有する。これは、また気楽さに対して逆効果を有し、事故の危険性を増加させる。更に、ひもを引き締めることに加えて、１つ又はいくつかの引き締め革ひもを、また、更なる作業段階において引き締めなければならない。
【００１０】
特許文献１３は、靴底の領域から靴の上部につながり、かつ底領域からかかと領域の周りにつながる部分、及びかかと領域からほぼ水平に足の甲の領域につながる部分を有する靴ひもを備える安い靴を開示する。最後に、足の甲の領域から底の近くにあるかかと領域につながるひもの部分がまた提供される。これにより、上記の３つの部分は、側面から見る場合、三角形を形成する。しかし、該側面において、上方のほぼ水平な部分は、足首、即ち足関節の下に位置する。このようにひもで締めることは、従って、ユーザの脛骨を囲む上部を備えるブーツに適していない。
【特許文献１】ＥＰ・０・４７４・７０８・Ｂ１
【特許文献２】ＷＯ９９／０９８５０・Ａ１
【特許文献３】ＤＥ・２９８・１４・６５９・Ｕ１
【特許文献４】ＥＰ・０・７０５・５４４・Ｂ１
【特許文献５】ＦＲ・４９６３１
【特許文献６】ＥＰ・０・６４６・３３４・Ａ１
【特許文献７】ＥＰ・０・０５７・１７０・Ａ２
【特許文献８】ＵＳ・２，６６０，８１２・Ａ
【特許文献９】ＵＳ・５，４０８，７６１・Ａ
【特許文献１０】ＵＳ・５，４９９，４６１・Ａ
【特許文献１１】ＵＳ・４５９，６１６・Ａ
【特許文献１２】ＵＳ・５，２９１，６７１・Ａ
【特許文献１３】ＥＰ・０・７４６・２１４・Ｂ１
【特許文献１４】ＵＳ２００２／００９５７５０・Ａ１
【特許文献１５】ＵＳ・６，２８９，５５８・Ｂ１
【発明の開示】
【発明が解決しようとする課題】
【００１１】
本発明の課題は、ブーツにおいて単純な操作性及び良い気楽さ、特に良いかかと保持性とともに、足の良い保持性が保証される方式で、初めに引用されたタイプのひもの付いたブーツを改善することである。
【課題を解決するための手段】
【００１２】
この課題は、請求項１に示す特徴によって解決される。本発明の有利な実施形態及び更なる開発は、従属項から導出されることができる。
【００１３】
本発明の基本的な原理は、良い保持性に必要な力がブーツひもによってのみ印加される方式でブーツひもを導くことである。このために、ブーツひもは、ブーツひもの各部分が、ａ） 第１の部分は、足底の中足骨の領域から足の甲の領域につながり、ｂ） 第２の部分は、足底の中足骨の領域から上側の足関節領域の位置又は上側の足関節領域の上における上部の外側の周りにつながり、ｃ） 第３の部分は、上部の同じ位置から足の甲に及び足の甲から上部のこの位置につながるような方式で導かれる。
【００１４】
これらの引用された部分の全ては、ワンピースの要素のブーツひもである。それらの部分は、側面から見ると、固定しながらほぼ三角形を形成し、その内部には、足関節及び足首が位置する。
【００１５】
ブーツひもは、例えば、特許文献１４から公知のもののような引き締め機構によって締められるのが好ましい。これは、ラチェットを備える巻き機構である。ここで、ブーツひもの両方の端は、そのワインディング・マンドレルにおいて巻かれる。ブーツひもは、小直径のワインディング・マンドレルにおいて容易に巻かれ得るように高引張強度及び低剛軟度を有する細いワイヤロープであるのが好ましい。
【００１６】
ブーツひものワンピース設計には、また、足の任意の動きの際にブーツひもの任意の部分が自動的に引き締められる利点がある。例えば、ブーツの上部が前方へ曲がると、上述した第２の部分がより長くなり、その結果、前方へ偏った位置の際にかかとが下方及び後方へ強く圧迫されるほど、自動的に第１及び第３の部分の短縮が発生するとともに、スノーボードの前端への圧力も発生する。
【００１７】
上述した３つの部分を形成するために、３つの方式が可能である。従って、第１及び第２の部分は、両側の底の中足骨領域において屈折を通じてつながり得る。しかし、それらはまた、底を通じて他側につながっていてもよく、例えば典型的な実施形態において底の内側において相互に交差するケースの底において案内されていてもよい。
【００１８】
本発明の更なる開発は、３つの部分の一部又は全部がブーツの外部を保護するための可撓性のケース、例えば、巻かれた渦巻ばね又は周知のボーデン・ケーブルのジャケットにおいて案内されるのを提供し得る。明瞭な説明のために、ブーツひものワンピース設計は、上述した３つの部分を引用する。対向する横方向のブーツの革ひもが相互に引かれる従来のひもで締めることの別の部分は、上述した３つの部分を備えるワンピースにて設計されるか、又は別々のブーツひもあるいは別々の複数のブーツひもにて案内され得る。
【発明を実施するための最良の形態】
【００１９】
図１が、最初に言及される。ここで、足Ｆは、側面図にて概略的に示される。足の基本的な骨は、上側の足関節Ｆ２を経て距骨Ｆ３と接続される脛骨Ｆ１である。上方から下方へ下側の足関節Ｆ４を経て踵骨Ｆ５につながる。下側の足関節Ｆ４の次には、舟状骨Ｆ６、中足骨Ｆ７、及び足指の骨、即ち基本足指部材Ｆ８、中間足指部材Ｆ９及び末端足指部材Ｆ１０がある。関節は、示されていないが、最後に名前を付けられた骨と骨との間にも存在する。足底の領域において、かかとの領域Ｆ１１は、踵骨Ｆ５の下に区別されて位置し、側面から見て外側に凸状にカーブし、中足骨の領域Ｆ１２は、舟状骨Ｆ６及び中足骨Ｆ７の下に位置し、内側に凹状にカーブし、前方の足領域Ｆ１３は、足の球状のもの及び足指を有する。
【００２０】
ブーツの後述のために、２つの足関節Ｆ２、Ｆ４の位置において略足の前上面に位置する足の甲領域Ｆ１４、及び上側の足関節領域足の裏面に位置し、かかとの凸状領域及び足関節から最初は凹状であるふくらはぎ領域へ側面輪郭を成す上側のかかと領域Ｆ１５が参照される。個々の筋肉及び腱は、より良い明瞭性のために示されない。
【００２１】
ブーツにおける足の良い保持性のために、かかと領域Ｆ１１が常にブーツ底の内側と接触されることが特に重要である。しかし、これは、ほとんどのブーツにおける課題である。底１は、足領域の上部分割によって、前方の足領域２、中足骨領域３及びかかと領域４に更に分割される。４'によって示され、踵骨Ｆ５から上方へ上側の足関節Ｆ２まで延長される領域は、かかと領域とも呼ばれる。足を囲み、垂直に上方へ延長される上部６と連結されるブーツの甲５は、底１に周知の方法で付着されている。上部６は、上側の足関節Ｆ２の位置においてブーツの甲５と連結され、脛骨Ｆ１のほとんどの領域をカバーする方式で定義される。この領域は、図１において脛骨領域６'として示される。ブーツの甲５及び上部６は、相互間にある程度離隔されて位置し、それらの間にいわゆる舌部９が位置するフラップ７及び８（また、図４、８を参照）を形成する。これらのフラップ７及び８は、ブーツの甲５及び上部６が足の周りにおいて密接な接触をしてブーツにおいてこの状態をよく保つようにひもで締めることにより相互間に引き寄せられる。
【００２２】
本発明において、ひもで締めることは、要求される良い保持性を保証する特別な方法で導かれるワンピースの連続的なブーツひも１１によって行われる。ブーツひも１１は、一般の用語で、柔軟に弾力的であるが、縦方向への拡張性が非常に低い牽引部材である。従来のブーツひもは、織物繊維又はプラスチック繊維からなり得、更に導線ケーブルでありえる。ブーツひも１１は、舌部９の上側の領域においてその一部に取り付けられた巻き機構１２にひもの両端によって固定される。巻き機構１２のワインディングによってブーツひも１１の両端がワインディング・マンドレル（非図示）に巻かれる。これにより、ブーツひもの有効長を短くする。巻き機構１２は、固定装置と、ブーツひもを解く解除装置とを備える。ワインディング・マンドレルは、固定装置によって停止され得る。このタイプの巻き機構は、例えば、特許文献１５に記載されていて、よってここで詳細に説明する必要はない。勿論、ブーツひもの両端を係止する他の周知の手段及び装置が、単純な結び目であるか又は他の周知のクランプ装置であるかに関係なしに使われることもできる。
【００２３】
図１に示される典型的な実施形態において、ブーツひも１１は、巻き機構１２から始まって先ずフラップ７、８に、略水平な水平部１１ａ、１１ｌ、特定のフラップ７、８に取り付けられているガイド１３ａ、１３ｂにつながる。そこから、ブーツひもは、舌部の中央へつながる直線部１１ｃ、１１ｊを貫通するようにガイド１３ａ、１３ｂに沿ってカーブされた第２の部分１１ｂ、１１ｋを経てつながる。これらの第３の部分１１ｃ及び１１ｊは、舌部９に取り付けられるガイド１４上において交差する。このガイドは、足の甲領域Ｆ１４の略向かい側にある。ブーツひもは、ブーツの外側の後面に対して略水平な第４の部分１１ｄ、１１ｌとしての第２のガイド１４から上側のかかと領域Ｆ１５の反対側に位置する第３のガイド１５につながる。同様に、ブーツひものこれらの部分は、第３のガイド１５において相互間に交差し、そこから第５の部分１１ｅ、１１ｈにおいて下方へ斜めに底１の中央領域３につながる。屈折の形状の第５ガイド１６ａ、１６ｂは、図１乃至５の典型的な実施形態において底１の中央領域３に付着される。この位置から第６の部分１１ｆ、１１ｇが、足の甲領域Ｆ １４の反対側の舌部９に付着され、ガイド１４に近接した第６のガイド１７に上方へ斜めにつながる。
【００２４】
部分１１ｍ、１１ｑは、第６のガイド１７から前方へ斜めにつながる。ブーツひもは、第６のガイド１７において再びそれ自体を交差し、前方の足領域２へフラップ７、８上の第７のガイド１８ａ、１８ｂにつながる。そこからブーツひもは、カーブされた部分１１ｎ、１１ｐを経て前方の足領域上を略横断し、最後の部分１１ｎ、１１ｐを相互間に連結する最後の部分１１ｏにつながる。
【００２５】
全てのブーツひも１１は、ワンピースの方式で設計される。即ち、全ての言及された部分１１ａ−１１ｑは、相互間に連結している。
【００２６】
図１、２及び５が明らかに示すように、一側上の部分１１ｅ、１１ｆ、１１ｉ及び他側上の部分１１ｄ、１１ｇ、１１ｈは、三角形を形成する。この三角形は、側面から見るとき（図１、２及び５）、２つの足関節Ｆ２、Ｆ４及び距骨Ｆ３を略囲み、ブーツひもが足の上に、特に最上側のかかと領域Ｆ１５において密接に位置し、よって特にかかとを底に対して下方へ押圧し、かかとが底から上がるのを防止する方式で、足の甲領域Ｆ１４、上側のかかと領域Ｆ１５及び中足骨領域Ｆ１２の間において有効である。同時に、足の甲領域Ｆ１４に導入された力は、非常に強く足を縛ることなくこれらの望ましくない運動に反対に作用する。
【００２７】
ブーツひも１１は、特に、スノーボードをする際に要求される、上部の側面の動きが与えられるように、全てのガイド１３-１７上において摺動され得る。これにより、特に好ましくはガイドがブーツひも１１と組み合わせて低い摩擦係数を有する材料から成る場合、ブーツひも１１を容易に引き締めることが可能である。したがって、金属及びプラスチックがガイドに適している。
【００２８】
図６乃至１０の典型的な実施形態は、底１の中足骨領域３につながるブーツひも１１の各部分が、底の側面に付着されたガイド１６ａ、１６ｂを経て屈折される代わりに、底１を通じて横断するケース１９及び２０を備える穴を通じてつながるという面から図１乃至５の実施形態と異なる。その結果、図１０において認識され得るように、底１を通じてつながる各部分が異なるシーケンスによって相互間に交差する。ここでつながりのある各部分は、参照番号１１ｒ、１１ｓによって示される。これらは、ブーツ底１を通じて略横断してつながるケース１９、２０において案内され得る。
【００２９】
図１‐５の典型的な実施形態において、ブーツひものつながりは、巻き機構１２から始まって、部分１１ａ‐ガイド１３ａ‐部分１１ｂ‐部分１１ｃ‐ガイド１４‐部分１１ｄ‐ガイド１５‐部分１１ｅ‐ガイド１６ａ‐部分１１ｆ‐ガイド１７‐部分１１ｍ‐ガイド１８ｂ‐部分１１ｎ‐部分１１ｏ‐部分１１ｐ‐ガイド１８ａ‐部分１１ｑ‐ガイド１７‐部分１１ｇ‐ガイド１６ｂ‐部分１１ｈ‐ガイド１５‐部分１１ｉ‐ガイド１４‐部分１１ｊ‐ガイド１３ｂ‐部分１１ｋ‐ガイド１３ｂ‐部分１１ｌ、巻き機構１２に戻る。
【００３０】
部分１１ｍ、１１ｎ、１１ｏ、１１ｐ及び１１ｑは、前方の足領域においてひもで締めるのが必要でない場合、必要に応じて除去されることもあり得る。この例では、部分１１ｆは、ガイド１７を通して部分１１ｇに直接につながる。
【００３１】
図７-１０の典型的な実施形態において、ブーツひものつながりは、巻き装置１２から始まって、部分１１ａ‐ガイド１３ａ‐部分１１ｂ‐部分１１ｃ‐ガイド１４‐部分１１ｄ‐ガイド１５‐部分１１ｅ‐ケース２０‐部分１１ｒ‐部分１１ｇ‐ガイド１７‐部分１１ｑ‐ガイド１８ａ‐部分１１ｐ‐部分１１ｏ‐ガイド１８ｂ‐部分１１ｎ‐部分１１ｍ‐ガイド１７‐部分１１ｆ‐ケース１９‐部分１１ｓ‐部分１１ｈ‐ガイド１５‐部分１１ｉ‐部分１１ｊ‐部分１１ｋ‐部分１１ｌ、巻き装置１２に戻る。この例では、部分１１ｍ、１１ｎ、１１ｏ、１１ｐ及び１１ｑ及びガイド１８ａ、１８ｂが必要に応じて除去され得る。
【００３２】
約１ｍｍ以下の直径を有する細いワイヤがブーツひもとして使われる場合、細いワイヤは、表地によって切られ得る危険性がある。表地は、通常ブーツひもの引き締めの際及び次の使用の際にひもの付いたブーツの革及び／又は織物から成る。このような現象を防止するために、ブーツひもの一部又は全ての部分は、図１１に概略的に示される保護ケースにおいて導かれる。この保護ケースは、例えば、巻かれた渦巻ばね２１であり得る。その内部において、ブーツひも１１は摺動する。渦巻ばねは、例えば、ボーデン・ケーブルで知られているように、追加的に保護プラスチック・ジャケット２２によって囲まれ得る。
【００３３】
図１２、１３は、異なる選択肢を有する本発明の典型的な他の実施形態を示す。第１の選択肢において、ガイド１４から上方へ上部６につながる部分１１ｃ、１１ｊは、上述した典型的な実施形態と対照的に上部６の外側へつながり、他のガイド１５ａの上側の裏面において相互間に交差する。このガイドからそれらの部分は、点線１１ａ、１１ｂ及び１１ｃ、１１ｊによって示されるように、前方へ巻き装置１２に略水平につながる。これにより、全てのブーツひもがワンピースになる。
【００３４】
上記の代案として、ブーツひもが分けられることもある。図１乃至１０の典型的な実施形態に従う部分１１ｆ、１１ｇと、１１ｅ、１１ｈと、１１ｄ、１１ｉとは、ブーツの甲領域に配置され、ブーツの舌部に固定される第１の巻き装置１２ａへ導かれる。上記のものとは独立的な第２のブーツひも１１zは、上部６の上側領域の周りに略水平に導かれ、第２の巻き装置１２ｂに巻かれる。図１２、１３から分かるように、この巻き装置１２ｂは、上部６の側面に取り付けられ得る。しかし、これは、前の典型的な実施形態の巻き装置１２のように、舌部に前方に取り付けられ得る。
【００３５】
対応する方式で、前方の足領域を引き締める部分１１ｏ、１１ｐ、１１ｑは、追加的な巻き装置（非図示）をもって別々のブーツひもを形成することも可能である。ブーツの両側に存在し、上記の三角形を形成する３つの部分が巻き装置によって引き締められて固定されるワンピースのブーツひもを形成することが重要である。
【図面の簡単な説明】
【００３６】
【図１】本発明によるひもの付いたブーツの典型的な実施形態の概略側面図、及び足を示す。
【図２】本発明の第１の典型的な実施形態によるブーツひもの左側面図を示す。
【図３】本発明の第１の典型的な実施形態によるブーツひもの背面図を示す。
【図４】本発明の第１の典型的な実施形態によるブーツひもの正面図を示す。
【図５】本発明の第１の典型的な実施形態によるブーツひもの右側面図を示す。
【図６】本発明の第２の典型的な実施形態によるひもの付いたブーツの左側面図を示す。
【図７】本発明の第２の典型的な実施形態によるひもの付いたブーツの背面図を示す。
【図８】本発明の第２の典型的な実施形態によるひもの付いたブーツの正面図を示す。
【図９】本発明の第２の典型的な実施形態によるひもの付いたブーツの右側面図を示す。
【図１０】本発明の第２の典型的な実施形態によるひもの付いたブーツの底面図を示す。
【図１１】ブーツひもの部分の断面図を示す。
【図１２】本発明の第３の典型的な実施形態による左側面図を示す。
【図１３】本発明の第３の典型的な実施形態による背面図を示す。
【符号の説明】
【００３７】
１：底
２：前方の足領域
３：中足骨領域
４：かかと領域
５：ブーツの甲
６：上部
７，８：フラップ
９：舌部
１１：ブーツひも
１２：巻き機構
１３ａ、１３ｂ：ガイド
Ｆ１：脛骨
Ｆ２、Ｆ４：足関節
Ｆ３：距骨
Ｆ５：踵骨
Ｆ６：舟状骨
Ｆ７：中足骨
【図１】
2004275771.tif 000003
【図２】
2004275771.tif 000004
【図３】
2004275771.tif 000005
【図４】
2004275771.tif 000006
【図５】
2004275771.tif 000007
【図６】
2004275771.tif 000008
【図７】
2004275771.tif 000009
【図８】
2004275771.tif 000010
【図９】
2004275771.tif 000011
【図１０】
2004275771.tif 000012
【図１１】
2004275771.tif 000013
【図１２】
2004275771.tif 000014
【図１３】
2004275771.tif 000015
【外国語明細書】
2004275771.tif 000016
2004275771.tif 000017
2004275771.tif 000018
2004275771.tif 000019
2004275771.tif 000020
2004275771.tif 000021
2004275771.tif 000022
2004275771.tif 000023
2004275771.tif 000024
2004275771.tif 000025
2004275771.tif 000026
2004275771.tif 000027
2004275771.tif 000028
2004275771.tif 000029
2004275771.tif 000030
2004275771.tif 000031
2004275771.tif 000032
2004275771.tif 000033
2004275771.tif 000034
2004275771.tif 000035
2004275771.tif 000036